(57)【特許請求の範囲】
【請求項１】
通電発熱性枠体内全体に通電発熱性材料のみからなるメッシュ状の整流板を配置してなり、通電発熱性枠体が断熱性治具取付部材を介して取付治具に取り付けられ、整流板を200〜230℃に通電加熱して用いられる熱式混合気整流装置。
【請求項２】
混合気の整流化に用いられる請求項１記載の熱式混合気整流装置。
【請求項３】
混合気がガソリンと空気との混合物である請求項１または２記載の熱式混合気整流装置。
【請求項４】
混合気が反応系分子のガスと不活性キャリアガスとの混合気体である請求項１または２記載の熱式混合気整流装置。
【請求項５】
請求項１または２記載の熱式混合気整流装置を用い、通電発熱性枠体を通して通電発熱性メッシュ状整流板を200〜230℃に通電加熱しながら、混合気の整流を行うことを特徴とする熱式混合気整流方法。
【請求項６】
混合気がガソリンと空気との混合物である請求項５記載の熱式混合気整流方法。
【請求項７】
混合気が反応系分子のガスと不活性キャリアガスとの混合気体である請求項５記載の熱式混合気整流方法。
【発明の詳細な説明】
【技術分野】
【０００１】
本発明は、熱式混合気整流装置に関する、さらに詳しくは、異音の発生を抑制した熱式混合気整流装置に関する。
【背景技術】
【０００２】
内燃機関の吸気の際に生ずる気流の乱れにより、異音が発生している。こうした異音を低減するために、流量制御弁の下流側に空気整流部材を備えた内燃機関の吸気装置が提案されている。
【特許文献１】特開平１１−１４１４１６号公報
【０００３】
ここで提案された吸気異音低減構造は、図２の概略断面図に示されるように、スロットバルブ２の下流の異音を低減するために、スロットバルブ２の下流かつ近傍にネット１を配置し、ネット１のすぐ下流の通路壁８が樹脂製の場合には、ネット１の目を該ネットを通過する吸気を通路壁内面８ａから離す方向に流す向きとし、ネット１のすぐ下流の通路壁８が金属製の場合には、ネット１の目を該ネットを通過する吸気を通路壁内面８ａに向ける向きとしている。
【０００４】
なお、他の符号において、３はインテークマニホルドサージタンク、４はスロットボデー、５はインテークマニホルド部、６はサージタンク、８は通路壁であり、Ａはスロットバルブ２の内バルブ開時に上流側に倒れ込む部分と通路壁８との間の隙間を通って流れる流れ、Ｂはスロットバルブ２の内バルブ開時に下流側に倒れ込む部分と通路壁８との間の隙間を通って流れる流れである。
【０００５】
上記特許文献１の実施態様によれば、流量制御弁の下流側に設置される空気整流部材の構造はメッシュ状となっており、弁を通過する隙に生じる気流の乱れを整流化することにより、異音を抑制している。
【０００６】
しかしながら、このような構造は、エンジン側からの吹き返し成分の付着により、金網格子を詰まらせ、吸気性能の低下を招くという問題があると考えられる。
【発明の開示】
【発明が解決しようとする課題】
【０００７】
異音の発生は、管内で乱流が発生したときに起こる。乱流は、広範囲の周波数成分を持っており、管特性と一致した周波数成分により気柱共鳴が発生し、異音となる。
【０００８】
本発明の目的は、管内で発生した乱流に起因する異音を抑制するために、気流の乱れを整流する整流部材を有する熱式混合気整流装置を提供することにある。
【課題を解決するための手段】
【０００９】
かかる本発明の目的は、通電発熱性枠体内全体に通電発熱性材料のみからなるメッシュ状の整流板を設置して、通電発熱性枠体が断熱性治具取付部材を介して取付治具に取り付けられ、整流板を200〜230℃に通電加熱して用いられる熱式混合気整流装置によって達成され、この熱式混合気整流装置を混合気の整流化に用いたとき、通電発熱性枠体を通して通電発電性メッシュ状整流板を200〜230℃に通電加熱しながら、熱式混合気の整流が行われる。
【発明の効果】
【００１０】
本発明に係る熱式混合気整流装置は、熱式エアフロメータ等の熱により付着物を除去するという原理と整流作用との組合せからなり、混合気の整流化とその整流装置に付着する成分の除去を可能としている。
【００１１】
すなわち、前記特許文献１記載の吸気異音低減構造にあっては、気流を整流化することで異音発生の抑制を行っているものであり、乱流を形成する成分の発生場所にだけ部分的にメッシュ状にされた整流板を配置する構造がとられているが、管内で混合気の流れが乱れることによって発生する異音は、乱流を形成する成分が一部だけに特定できない状況をふまえて、枠体内全体をメッシュ状の整流板で形成させている。
【００１２】
さらに、この吸気異音低減構造を気流の整流化に用いた場合には、メッシュに付着した目詰まり物質によって整流効果が低下し、異音の発生を有効に低減できないが、本発明の熱式混合気整流装置にあっては、通電発熱性枠体内全体に通電発熱性材料のみからなる通電発熱性メッシュ状整流板を配置して通電発熱させ、異物の堆積を抑制しながら気流の整流を行っているので、このような事態には至らない。すなわち、乱流が発生すると管内で気柱共鳴(異音)が発生することになるが、本発明の整流板で乱流の発生を抑え、異音の発生を低減させる。
【００１３】
異物の堆積は、金属表面に水分や油分等が付着し、そこに他の成分等が吸着していくため起こるものであり、熱式混合気整流装置の構造の欠点とされているものであるが、本発明においては通電加熱された整流部材が230℃程度に加熱されているので、金属表面に付着した混合気の成分である水分や油分等を気化させ、そこへの異物の堆積が起こり難くなっており、吸気性能を増加させるばかりではなく、堆積物に伴って発生する異音も低減される。
【００１４】
かかる効果を奏する本発明の熱式混合気整流装置は、インテークマニホルドサージタンク用等の自動車用、特にその内燃機関の吸着装置用のみならず、MEMS(微小電気機械システム)産業用途においても、配管に被層層などとして樹脂製部材が用いられることになったため、乱流によって配管が振動し、異音を発生する問題などに対する対策としても有効に用いられる。
【発明を実施するための最良の形態】
【００１５】
図１には、本発明に係る熱式混合気整流装置の一使用態様が平面図として示されている。通電発熱性枠体１１内全体には通電発熱性材料のみからなる通電発熱性メッシュ状の整流板１２が配置されており、枠体１１には断熱性冶具取付部材１３が取り付けられており、この冶具取付部材１３が取付冶具１４に設けられた差込口に差し込まれて、配管等に取り付けられ、組み立てられる。なお、符号１５はコントロールユニットである。この熱式混合気整流装置を、乱流が原因となる異音を発生している混合気配管の途中に設置する。
【００１６】
通電発熱性枠体１１は、銅合金等の金属から構成され、その枠体内全体に配置される通電発熱性メッシュ状の整流板１２は、銅線等の金属線のみから構成される。メッシュ状の整流板１２のメッシュは、乱流の減衰を考慮して1インチ(2.54cm)当りの目の数が16〜30程度とし、また開口面積比は60％以上となる構造がとられる。
【００１７】
このようなメッシュ状整流板１２を管の途中に配置することにより、整流は順調に行われるものの、整流時間の経過と共に、混合気体中の成分がメッシュ状の金属板に付着し、流れの効率を次第に低下させるようになるが、枠体１１からメッシュ状整流板１２にかけて通電し、例えば約200〜230℃に加熱することによって、混合気の成分である水分、油分等を気化させ、他の成分の整流板メッシュ上への堆積を防止する。あるいは、堆積が無視できない場合などには、必要に応じて混合気を流さない状態での通電加熱による堆積物の除去が行われる。
【００１８】
このような熱式混合気整流装置によって整流される混合気としては、例えば自動車用途にあってはガソリンと空気との混合物、またMEMS用途にあっては反応系分子のガスと不活性キャリアガスとの混合気体等が挙げられる。
【図面の簡単な説明】
【００１９】
【図１】本発明に係る熱式混合気整流装置の整流板を取付冶具に取り付け、組み立てた状態を示す平面図である。
【図２】従来例の異音低減構造の概略断面図である。
【符号の説明】
【００２０】
１１  通電発熱性枠体
１２  通電発熱性メッシュ状整流板
１３  断熱性冶具取付部材
１４  取付冶具
【図１】
0005262115.tif 000002
【図２】
0005262115.tif 000003